(57)【要約】【課題】  簡便な自動車用広告表示具を提案する。【解決手段】  取付吸盤１５によって自動車２の屋根２Ａに屋根用広告表示具１を着脱自在に装着し、自動車２の側面、前面、後面に、マグネットシート部材３Ａによって着脱自在に装着できるシート状広告表示具３を用いるようにしたことにより、ユーザが簡便に装着したり、取り外したり、配列を変えたりできるような広告表示具を得ることができる。【選択図】        図１ 
0003106079.tif 000002
【実用新案登録請求の範囲】
【請求項１】
自動車の屋根に吸着する吸盤を底面に有する基台と、
上記基台上に、立体的なキャラクタ像を構成するキャラクタ表示像部材と
を有し、
上記吸盤を上記自動車の屋根に負圧によって吸着させることにより、上記キャラクタ表示像部材によるキャラクタ像を、取外しできるように、上記自動車の屋根と一体に組み合せる
ことを特徴とする広告表示具。
【請求項２】
上記キャラクタ表示像部材は、ペンギンを擬人化したキャラクタ像を構成する
ことを特徴とする請求項１に記載の広告表示具。
【請求項３】
上記キャラクタ表示像部材の上記キャラクタ像と関連する広告内容を表面に表示する広告シート部材と、上記広告シート部材の裏側に形成されて上記自動車の外表面に磁力によって吸着するマグネットシート部とを有するシート状広告表示具を上記自動車の側面又は前面又は後面に、取外しできるように、付着させる
ことを特徴とする請求項１に記載の広告表示具。
【考案の詳細な説明】
【技術分野】
【０００１】
本考案は広告表示具に関して、特に自動車について広告を簡便に付け換えることができるようにしたものである。
【背景技術】
【０００２】
自動車についての広告として、従来、自動車の車体外表面に広告内容を示す文字や図柄を、塗装又は添付シートにより表示したものが用いられている。
【考案の開示】
【考案が解決しようとする課題】
【０００３】
ところが自動車についての従来の広告は、車体の左右側面や、前後表面に対して、広告を構成する文字や図柄が、人が触ったり、雨風が当たったりしたとき、消えたり薄くなったりしないような表面加工処理を施すようになされているために、一旦広告を表示したら、その後当該広告を消したり付け換えたりするために、多大な作業や経費がかかるために、ユーザ個人の都合で広告内容を簡便に消したり、付け換えたりすることができない不便さがある。
【０００４】
本考案は以上の点を考慮してされたもので、ユーザの個人的な都合によって簡便に、付けたり、外したり、付け換えたりすることができるようにした広告表示具を提案しようとするものである。
【課題を解決するための手段】
【０００５】
かかる課題を解決するため本考案においては、自動車２の屋根２Ａに吸着する吸盤１５を底面に有する基台１１と、基台１１上に載置され、かつ立体的なキャラクタ像を有するキャラクタ表示像部材１２とを有し、吸盤１５を自動車２の屋根２Ａに負圧によって吸着させることによりキャラクタ表示像部材１２によるキャラクタ像を、取外しできるように、自動車２の屋根２Ａと一体に組み合せるようにする。
【０００６】
これに加えて、本考案においては、キャラクタ表示像部材１２のキャラクタ像と関連する広告内容を表面に表示する広告シート部材３Ｂと、広告シート部材３Ｂの裏側に形成されて自動車２の外表面に磁力によって吸着するマグネットシート部３Ａとを有するシート状広告表示具３を自動車の側面又は前面又は後面に、取外しできるように、付着させるようにする。
【０００７】
立体的なキャラクタ像を有するキャラクタ表示像部材１２を載置する基台１１を、自動車２の屋根２Ａに、吸盤１５によって取外し自在に装着できることにより、ユーザ個人の都合で、人目につき易いキャラクタ像を、簡便に、自動車の屋根に付けたり、外したり、付け換えたりすることができる。
【０００８】
これと共に、マグネットシート部３Ａを有するシート状広告表示具３を自動車２の側面、前面、後面に取外し自在に付着させることができることにより、キャラクタ表示像部材のキャラクタ像によって引きつけた人目を、シート状広告表示具３の表示に移させることによって、シート状広告表示具３の表示内容を読ませることができ、これにより一段と広告効果を高めることができる。
【考案の効果】
【０００９】
本考案によれば、取外し自在な屋根用広告表示具と、シート状広告表示具とを、自動車に取外し自在に装着するようにしたことにより、自動車のユーザの都合に従って、簡便に、広告表示具を付けたり、外したり、配置を変えたりすることができることにより、一段と簡便に広告効果を大きくできるような広告手段を提供し得る。
【考案を実施するための最良の形態】
【００１０】
以下図面について本考案の一実施の形態を詳述する。
【００１１】
図１において、１は屋根用広告表示具を示し、自動車２の屋根２Ａの表面に取外し自在に装着されている。
【００１２】
屋根用広告表示具１は、図２に示すように、ほぼ長方形状の板状基台１１上にキャラクタ表示像部材１２が装着された構成を有する。これと共に、自動車２の側面、前面、後面には、シート状広告表示具３（図１）が装着されている。
【００１３】
この実施の形態の場合、キャラクタ表示像部材１２は、４匹のペンギンを擬人化してなるペンギン模擬像を立体的なキャラクタ像として有し、図２において、前を向いている「父ペンギン」１２Ａと後を向いている「母ペンギン」１２Ｂとが両脇に一対のサーフボード１３Ｌ及び１３Ｒを挟んで立っており、当該一対のサーフボード１３Ｌ及び１３Ｒの間であって、「父ペンギン」１２Ａ及び「母ペンギン」１２Ｂの背中が対向している空間において、右側に向いている「女の子ペンギン」１２Ｃと左側に向いている「男の子ペンギン」１２Ｄとが両手を挙げながら立っている。
【００１４】
かくしてキャラクタ表示像部材１２は、「ペンギンの一家」がサーフボード１３Ｌ及び１３Ｒを持って海にサーフィングしに行く際の楽しげな様子が目に焼き付くように、特徴的な印象を与えるように構成されている。
【００１５】
左側及び右側サーフボード１３Ｌ及び１３Ｒの左側表面及び右側表面は広告表示板面１４Ｌ及び１４Ｒを形成し、広告表示板面１４Ｌ及び１４Ｒによって広告内容を表示する。
【００１６】
この実施の形態の場合、広告表示板面１４Ｌ及び１４Ｒは、第１の登録商標（登録第４５８６３９９号）の上段表示部分
「
0003106079.tif 000003
」
（社標を表す）と、これに第２の登録商標（登録第４１２６７５６号）の中段表示部分
「
0003106079.tif 000004
」
（商号の略称を表す）と、下段のその他の広告表示部分「Cars for Sale and Wanted Classified 」（自動車の売買についての情報提供業務を行っていることを表す）とを、３段表記した表示内容を有する。
【００１７】
これにより、広告表示板面１４Ｌ及び１４Ｒは、第１及び第２の登録商標を使用している営業者が、「車の売買についてのいろいろな情報を提供している」ことを、自動車２を見ている人に分り易く伝えるような機能を実現している。
【００１８】
板状基台１１の底面の四隅には、自動車２の屋根２Ａへの取付具として４つの取付吸盤１５が配設され、当該取付吸盤１５が板状基台１１の表面からその厚みを貫通するように設けられた取付ねじ１６によって板状基台１１の下面に取り付けられている。
【００１９】
ここで、「父ペンギン」１２Ａ、「母ペンギン」１２Ｂ、「女の子ペンギン」１２Ｃ及び「男の子ペンギン」１２Ｄ、並びに左側及び右側サーフボード１３Ｌ及び１３Ｒの各キャラクタの部分は、それぞれ塩化ビニール材料によって成形されたものを組み立てた構成を有する。また板状基台１１の部分はアクリル材料によって成形され、板状基台１１の部分に対して各キャラクタ部分がねじ止めされる。さらに取付吸盤１５の部分は塩化ビニール材料によって形成されたものを、板状基台１１にねじ止めされる。
【００２０】
シート状広告表示具３は、図３に示すように、マグネットシート部材３Ａの表面に広告シート部材３Ｂを形成した構成を有し、全体として厚み方向に湾曲できるような可撓性を持っている。広告シート部材３Ｂの表面には、屋根用広告表示具１の広告表示板面１４Ｌ及び１４Ｒに表示されている営業者が提供しているサービスの具体的内容を表わす広告文字・キャラクタが表示される。
【００２１】
実際上シート状広告表示具３は、図４に示すように、大面積のシート状広告表示具材料２５から複数種類の大きさのシート状広告表示具３を切り離せるように構成されている。
【００２２】
シート状広告表示具材料２５は、自動車の左及び右側面に用いるシート状広告表示具３でなるサイド用シート状広告表示具材料２５Ａ及び２５Ｂと、自動車の前面及び後面に用いるフロント用及びリア用シート状広告表示具材料２５Ｃ及び２５Ｄとを、１台の自動車１セット分のシート状広告表示具３を得るために用意される。
【００２３】
ここで、シート状広告表示具材料２５は、マグネットシート部材３Ａを構成する厚さ 0.7〔mm〕のマグネット（塩素化ポリエチレンに酸化鉄をねり込んでなる）上に、広告シート部材３Ｂを構成する 0.1〔mm〕の白色塩化ビニールフィルム（表面に文字・キャラクタがシルク印刷されている）を付着させると共に、その両面に保持被膜を付した構成を有する。
【００２４】
各シート状広告表示具材料２５Ａ、２５Ｂ、２５Ｃ及び２５Ｄは、ユーザが必要に応じて複数の情報を組み合せて広告内容や形態を変更できるように、複数の大きさ及び内容のシート状広告表示具３を組み合わせて構成されている。
【００２５】
サイド用シート状広告表示具部２５Ａ及び２５Ｂは、当該広告主がインターネットのホームページを介する業務を行っていることを表す第３の登録商標（登録第４５３７３１８号）の表示部分「ＣＡＲ  ＰＡＲＡＤＩＳＥ」と、その愛称「ＣＡＲ  ＰＡＲＡ」でなる第４の登録商標（登録第４５４０４０２号）の表示部分と、インターネットのホームページアドレス「www.autowave.net」の表示部分とを有し、自動車２のサイドドアに装着するのに適するように、大面積の１つのシート状広告表示具Ｃ１と、屋根用広告表示具１の広告表示板面１４Ｌ及び１４Ｒと同様の広告内容を有する中面積の１つのシート状広告表示具Ｃ２と、さらに詳細なメッセージを提供する小面積の８つのシート状広告表示具Ｃ３（それぞれ文字情報「電話番号」、「車を高く売るなら」、「車を安く買うなら」、「電話一本で」、「すぐ行きます」、「出前車検」（第５の登録商標登録第４２３６１６７号）、「￥9800〜」、を表す）とで構成されている。
【００２６】
これに対してフロント用及びリア用シート状広告表示具材料２５Ｃ及び２５Ｄは、自動車の前面及び後面の面積が小さい分小さい面積でなり、かつ上記シート状広告表示具Ｃ１と同一内容の１つのシート状広告表示具Ｃ４と、上記シート状広告表示具Ｃ３と同じ小面積を有する４つのシート状広告表示具Ｃ５「（上記シート状広告表示具Ｃ２を縮小した表示内容）」、「電話番号」、「車を高く売るなら」、「車を安く買うなら」）として構成されている。
【００２７】
以上の構成において、広告表示具１はその４つの取付吸盤１５が生ずる負圧によって自動車２の屋根２Ａの外表面に付着される。この状態においてキャラクタ表示像部材１２を構成する４個の擬人化されたペンギン像が醸し出す独特の雰囲気を、屋根２Ａの上に突出するように形成しながら自動車２が走行すれば、往来する人がキャラクタ表示像部材１２に目をひきつけられることにより、サーフボード１３Ｌ及び１３Ｒに表示された広告を読み取ることができる。
【００２８】
これと共に、自動車２のユーザは、当該自動車２を運転する前にシート状広告表示具材料２５のサイド用シート状広告表示具材料２５Ａ又は２５Ｂ、若しくはフロント用又はリア用シート状広告表示具材料２５Ｃ又は２５Ｄから任意にシート状広告表示具３を自動車２の左側面、右側面、前面、後面に貼り付けることにより、自動車２の屋根２Ａに装着した屋根用広告表示具１に引きつけた視線をシート状広告表示具材料２５Ａ、２５Ｂ、２５Ｃ、２５Ｄに移させることにより、有効な広告効果を得ることができる。
【００２９】
この実施の形態の場合、４つの取付吸盤１５のうちの１つには、安全ひも固定部材２１（図２）が設けられ、当該安全ひも固定部材２１に一端を固定された安全ひも２２（塩化ビニールパイプで被覆された鉄線でなる）が、取付吸盤１５と同様に自動車２の屋根２Ａに負圧により付着される補助吸盤２３に連結され、これにより屋根用広告表示具１の取付吸盤１５が不用意に吸着力を失ったとき、屋根用広告表示具１を安全ひも２２を介して補助吸盤２３によって保持させ、これにより屋根用広告表示具１が自動車２から落下することがないような安全策が講じられている。
【００３０】
以上の構成によれば、屋根用広告表示具１及びシート状広告表示具３を広告手段として利用する場合には、ユーザが屋根用広告表示具１の取付吸盤１５を自動車２の屋根２Ａの表面に吸着させると共に、シート状広告表示具３を自動車２の側面、前面、後面に付着させれば、ユーザは屋根用広告表示具１の雰囲気によって往来する人の注目を集めると共に、シート状広告表示具３に目を移させることにより、有効な広告効果を得ながら自動車２を走行させることができる。
【００３１】
これに対して、ユーザが広告をしたくないときには、屋根用広告表示具１の取付吸盤１５又はシート状広告表示具３を自動車２の屋根２Ａ又は自動車２の側面、前面及び後面から取り外せば良い。
【００３２】
これに加えて、広告表示板面１４Ｌ及び１４Ｒの広告内容が異なる広告表示具１を付け換えれば、簡便に広告内容を変更することができる。
【産業上の利用可能性】
【００３３】
本考案は、自動車を必要に応じて広告車として使用する場合に利用できる。
【図面の簡単な説明】
【００３４】
【図１】本考案による広告表示具を装着した自動車を示す斜視図である。
【図２】図１の屋根用広告表示具の詳細構成を示す斜視図である。
【図３】図１のシート状広告表示具の構成を示す断面図である。
【図４】シート状広告表示具材料の構成を示す正面図である。
【符号の説明】
【００３５】
１……屋根用広告表示具、２……自動車、３……シート状広告表示具、３Ａ……マグネットシート部材、３Ｂ……広告シート部材、１１……板状基台、１２……キャラクタ表示像部材、１２Ａ……父ペンギン、１２Ｂ……母ペンギン、１２Ｃ……女の子ペンギン、１２Ｄ……男の子ペンギン、１３Ｌ、１３Ｒ……サーフボード、１４Ｌ、１４Ｒ……広告表示板面、１５……取付吸盤、１６……取付ねじ、２１……安全ひも固定部材、２２……安全ひも、２３……補助吸盤、２５……シート状広告表示具材料。
【図１】
0003106079.tif 000005
【図２】
0003106079.tif 000006
【図３】
0003106079.tif 000007
【図４】
0003106079.tif 000008